(57)【要約】【課題】座部の裏面側に配設された横梁部に対して容易に取り付けることができる椅子用緩衝部材及びこれを複数装着した椅子を提供すること。【解決手段】複数の椅子の座部を積み重ねた際に、座部の裏面側に配設された横梁部によって下側に位置する座部の表面に傷が付くことを防止するための椅子用緩衝部材１である。横梁部を収容するための凹部２０を設けてなると共に先端が開口したＵ字状部２１と、Ｕ字状部２１における開口端とは反対側に設けられ座部の表面に当接させるための緩衝頭部２２とを有する本体部２と、Ｕ字状部２１の開口端を繋ぐように本体部２と組み合わせられる蓋部３とよりなる。蓋部３には、Ｕ字状部２１の開口端に設けられた突出部２４を挿入可能な係合穴３４を設けてある。本体部２のＵ字状部２１の凹部２に横梁部を収容すると共に突出部２４を蓋部３の係合穴３４内に挿入することにより、蓋部３と本体部２とを一体化できる。【選択図】図１
0003151844.tif 000002
【実用新案登録請求の範囲】
【請求項１】
複数の椅子の座部を積み重ねた際に、上記座部の裏面側に配設された横梁部によって下側に位置する上記座部の表面に傷が付くことを防止するための椅子用緩衝部材であって、
上記横梁部を収容するための凹部を設けてなると共に先端が開口したＵ字状部と、該Ｕ字状部における開口端とは反対側に設けられ上記座部の表面に当接させるための緩衝頭部とを有する本体部と、
上記Ｕ字状部の開口端を繋ぐように上記本体部と組み合わせられる蓋部とよりなり、
該蓋部には、上記Ｕ字状部の開口端に設けられた突出部を挿入可能な係合穴を設けてあり、
上記本体部の上記Ｕ字状部の上記凹部に上記横梁部を収容すると共に上記突出部を上記蓋部の上記係合穴内に挿入することにより、該蓋部と上記本体部とを一体化できるよう構成されていることを特徴とする椅子用緩衝部材。
【請求項２】
請求項１において、上記横梁部の断面の外形状が円形であり、上記Ｕ字状部の上記凹部は、上記横梁部の外周面全周の半分を超える領域に密着する円弧状内周面を有していることを特徴とする椅子用緩衝部材。
【請求項３】
請求項１又は２において、上記本体部は、上記蓋部よりも弾性変形しやすい材料により構成されていることを特徴とする椅子用緩衝部材。
【請求項４】
請求項１〜３のいずれか１項において、上記本体部の上記Ｕ字状部から突出する左右一対の上記突出部は、その外方側面形状が先端に近づくほど内方に寄るよう傾斜したテーパ形状となっており、上記蓋部の上記係合穴への挿入深さが深くなるほど左右一対の上記突出部が互いに近づく方向に押圧されるよう形成されていることを特徴とする椅子用緩衝部材。
【請求項５】
少なくとも、座部と、該座部の裏面側に配設された横梁部とを有する椅子であって、
上記横梁部には、請求項１〜４のいずれか１項に記載の上記椅子用緩衝部材を複数装着してなることを特徴とする椅子。
【考案の詳細な説明】
【技術分野】
【０００１】
本考案は、複数積み重ねて保存できるように構成した椅子に設ける椅子用緩衝部材に関する。
【背景技術】
【０００２】
多数の椅子を保存する際のスペースを小さくするためには、複数の椅子を、その座部が重なるように積み重ねること（スタッキング）が有効である。スタッキング可能な椅子は、座部を支える脚部が下方の別の椅子の座部の外側に配置される必要がある。そのため、脚部は、座部の裏面に沿って座部の外周縁よりも外側まで横方向に伸びた横梁部を有し、その外方端から下方に向けて延設されるのが通常である。なお、２本の脚部の下端を繋いでループ状の脚部とする場合もあるが、上記横梁部の構成は必要である。
【０００３】
このような構成の椅子を、座部を重ねるようにスタッキングした場合には、上側に位置する椅子の横梁部が下側に位置する椅子の座部の表側面に当接する。通常、横梁部は金属製であるため、座部がたとえば木製などの傷の付きやすい材質よりなる場合には、横梁部との接触によって傷つけられる場合がある。また、横梁部の形状によっては、座部との当接状態が安定せず、安定したスタッキング状態を実現できない場合もある。このような不具合を防止するために、座面の裏側に緩衝部材を設けることが提案されている（特許文献１、２参照）。
【先行技術文献】
【特許文献】
【０００４】
【特許文献１】特開２００４−１８０９０７号公報
【特許文献２】特開２００８−１６１４０１号公報
【考案の概要】
【考案が解決しようとする課題】
【０００５】
しかしながら、従来の緩衝部材は、その配設作業性等に問題がある。たとえば、上記特許文献１に記載された緩衝部材は、座面の裏側に位置する脚体の横梁部にビスを用いてネジ止めするものである。この方法によれば、単にネジ止め作業が必要なだけではなく、ネジ止め用の穴を事前に加工しておく必要があり、製造工程上好ましくない。
【０００６】
また、特許文献２に記載された緩衝部材は、脚体とは別体の支持部材を設け、これにゴム等の緩衝部材を配設してある。すなわち、緩衝部材を取り付けるためだけの専用部品を増やす必要があり、部品点数の面から好ましくない。また、支持部材の座部への取付もビスで行う必要もあり、作業性も悪い。
【０００７】
一方、特許文献には記載がないが、ゴムよりなる緩衝部材であって、その側周面を貫通する貫通穴を設けたタイプのものがある。これは、脚部の先端を緩衝部材の貫通穴に挿入し、緩衝部材を脚部に沿って横梁部まで移動させて装着するものである。しかしながら、このような緩衝部材の装着作業は、作業者にとっては非常に煩雑で時間のかかるものとなる。また、このタイプの緩衝部材は、脚部の先端同士を繋いだループ状の脚部の場合には適用が困難である。
【０００８】
本考案は、上記の問題点に鑑みてなされたものであって、座部の裏面側に配設された横梁部に対して容易に取り付けることができる椅子用緩衝部材及びこれを複数装着した椅子を提供しようとするものである。
【課題を解決するための手段】
【０００９】
第１の考案は、複数の椅子の座部を積み重ねた際に、上記座部の裏面側に配設された横梁部によって下側に位置する上記座部の表面に傷が付くことを防止するための椅子用緩衝部材であって、
上記横梁部を収容するための凹部を設けてなると共に先端が開口したＵ字状部と、該Ｕ字状部における開口端とは反対側に設けられ上記座部の表面に当接させるための緩衝頭部とを有する本体部と、
上記Ｕ字状部の開口端を繋ぐように上記本体部と組み合わせられる蓋部とよりなり、
該蓋部には、上記Ｕ字状部の開口端に設けられた突出部を挿入可能な係合穴を設けてあり、
上記本体部の上記Ｕ字状部の上記凹部に上記横梁部を収容すると共に上記突出部を上記蓋部の上記係合穴内に挿入することにより、該蓋部と上記本体部とを一体化できるよう構成されていることを特徴とする椅子用緩衝部材にある（請求項１）。
【００１０】
第２の考案は、少なくとも、座部と、該座部の裏面側に配設された横梁部とを有する椅子であって、
上記横梁部には、上記第１の考案の椅子用緩衝部材を複数装着してなることを特徴とする椅子にある（請求項５）。
【考案の効果】
【００１１】
本考案の緩衝部材は、上記のごとく、本体部と蓋部の２つの部品により構成されている。上記本体部は、上記凹部を設けたＵ字状部を有しており、その凹部に上記横梁部を収容することによって、容易に横梁部に係合させることができる。そして、この状態において、上記本体部の上記緩衝頭部を下向きに配置することができ、スタッキング時に確実に座部の表面に当接させることができる。
【００１２】
また、上記蓋部は上記係合穴を有しており、この係合穴に上記本体部のＵ字状部の先端に設けられた突出部を挿入することによって、本体部と蓋部とを一体化することができる。これにより、上記本体部の横梁部への配設状態を安定的に維持することができる。
また、上記蓋部と本体部とを一体化させる作業は、上記横梁部を座部に固定する作業の前後いずれでも可能であるが、横梁部を座部に固定する前に行う方がより簡単である。いずれにしても、具体的な作業は、上記Ｕ字状部の凹部に上記横梁部を収容することと、Ｕ字状部の先端の左右一対の突出部を上記蓋部の係合穴に挿入するだけであり、非常に簡単である。そして、特に上記緩衝部材以外の部品を用いることなく、非常に短時間で行うことができる。
【００１３】
このように、本考案の椅子用緩衝部材は、座部の裏面側に配置された横梁部に対して容易に取り付けることができる。
また、上記椅子用緩衝部材を複数装着した椅子は、スタッキング時に上記椅子用緩衝部材の存在によって確実に座部の傷付きを防止することができる。また、上記緩衝部材の存在のよって、複数の椅子のスタッキング状態をより安定化させることができる。また、上記緩衝部材の装着作業も合理化できるので、椅子全体のコストダウンにもつなげることができる。
【図面の簡単な説明】
【００１４】
【図１】実施例１における、椅子用緩衝部材の展開図。
【図２】実施例１における、椅子用緩衝部材の本体部の正面図。
【図３】実施例１における、椅子用緩衝部材の本体部の平面図。
【図４】実施例１における、椅子用緩衝部材の本体部の側面図。
【図５】実施例１における、椅子用緩衝部材の蓋部の正面図。
【図６】実施例１における、椅子用緩衝部材の蓋部の底面図。
【図７】実施例１における、椅子用緩衝部材の蓋部の断面図（図５のＡ−Ａ線矢視断面図）。
【図８】実施例１における、横梁部に椅子用緩衝部材を対面させた状態を示す説明図。
【図９】実施例１における、横梁部に本体部を装着している途中の状態を示す説明図。
【図１０】実施例１における、横梁部に本体部を装着し終えた状態を示す説明図。
【図１１】実施例１における、横梁部に装着した本体部に蓋部を被せて一体化した状態を示す説明図。
【図１２】実施例１における、椅子用緩衝部材を４個装着した椅子を示す説明図。
【図１３】実施例１における、椅子をスタッキングした状態を示す説明図。
【考案を実施するための形態】
【００１５】
第１の考案において、上記横梁部の断面の外形状が円形であり、上記Ｕ字状部の上記凹部は、上記横梁部の外周面全周の半分を超える領域に密着する円弧状内周面を有していることが好ましい（請求項２）。スタッキング可能な椅子としては、丸パイプを脚部及びその横梁部に用いる場合が多い。その場合には、上記のごとく、丸パイプの外周面の半周以上の領域を保持可能な凹部形状に限定することにより、本体部と横梁部の安定した係合を可能とすることができる。さらに、上記蓋部を上記Ｕ字状部の開口端を繋ぐように装着することによって、凹部が不用意に開くことを防止することによって、本体部と横梁部の係合状態をさらに安定させることができる。
【００１６】
また、上記本体部は、上記蓋部よりも弾性変形しやすい材料により構成されていることが好ましい（請求項３）。上記本体部は、凹部内に横梁部を収容する際に、Ｕ字状の内部を押し開く方向に変形した後、元に戻る方向に変形させる構成となる場合がある。そのため、本体部は比較的弾性変形しやすい材料を用いることが好ましい。一方、蓋部は、本体部のＵ字状部が開くことを防止する必要があるので、比較的固いものが好ましく、少なくとも、上記本体部の材料よりも弾性変形しにくい材料とすることが好ましい。このような材料の組み合わせにより、本体部と蓋部を一体化させた状態をより安定化させることができる。
なお、具体的な材料の組み合わせとしては、たとえば、本体部には低密度ポリエチレンを用い、蓋部にはポリプロピレンを用いる組み合わせがある。もちろん、これらの材料に限定する必要はない。
【００１７】
また、上記本体部の上記Ｕ字状部から突出する左右一対の上記突出部は、その外方側面形状が先端に近づくほど内方に寄るよう傾斜したテーパ形状となっており、上記蓋部の上記係合穴への挿入深さが深くなるほど左右一対の上記突出部が互いに近づく方向に押圧されるよう形成されていることが好ましい（請求項４）。
この場合には、蓋部に突出部を挿入した状態において、上記Ｕ字状部が上記横梁部を挟持する力が増加し、さらに安定した一体化状態が得られる。なお、上記蓋部は、最終的には、横梁部と座部の間に挟まれるので、本体部から外れる心配はほとんどない。
【実施例】
【００１８】
（実施例１）
本考案の実施例にかかる椅子用緩衝部材及びこれを装着した椅子につき、図１〜図１３を用いて説明する。
本例の椅子用緩衝部材１は、図１３に示すごとく、複数の椅子８の座部８１を積み重ねた際に、上記座部８１の裏面８１２側に配設された横梁部７５によって下側に位置する上記座部８１の表面８１１に傷が付くことを防止するためのものである。
【００１９】
図１〜図７に示すごとく、上記椅子用緩衝部材１は、横梁部７５を収容するための凹部２０を設けてなると共に先端が開口したＵ字状部２１と、該Ｕ字状部２１における開口端とは反対側に設けられ上記座部８１の表面８１１に当接させるための緩衝頭部２２とを有する本体部２と、Ｕ字状部２１の開口端を繋ぐように本体部２と組み合わせられる蓋部３とよりなる。蓋部３には、Ｕ字状部２１の開口端に設けられた突出部２４を挿入可能な係合穴３４を設けてある。そして、本体部２の上記Ｕ字状部２１の凹部２０に横梁部７５を収容すると共に突出部２４を蓋部３の係合穴３４内に挿入することにより、蓋部３と本体部２とを一体化できるよう構成されている。
以下、さらに詳説する。
【００２０】
本例の椅子８は、図１２に示すごとく、座部８１とその後端から立設した背もたれ部８２とを一体的に有し、その座部８１の下方に脚部７を設けてある。脚部７は、２本ずつ略Ｖ字状の横梁部７５の両端につながっている。そして、２組の横梁部７５を円盤状の固定金具７９に接合してあり、この固定金具７９をビス７８によって座部８１の下面に固定することにより、脚部７が配設されている。
【００２１】
そして、本例の椅子用緩衝部材１は、横梁部７５の４箇所に配設されている。
本体部２の全体形状は、図１〜図４に示すごとく、横梁部７５の軸方向に平行な方向から見た正面の形状が略台形状であり、その上半部がＵ字状部２１で下半部が緩衝頭部２２となっている。
【００２２】
Ｕ字状部２１はに設けられた凹部２０は、上記横梁部７５の断面の外形状が円形であるので、円弧状の内周面を有している。そして、凹部２０は、横梁部７５の外周面全周の半分を超える領域、より具体的には７５％以上に密着する円弧状内周面となっている。
また、Ｕ字状部２１の先端には、その先端面２１９から上方に突出する左右一対の突出部２４が設けられている。
【００２３】
図１〜図４に示すごとく、突出部２４は、その外方側面２４１の形状が先端に近づくほど内方に寄るよう傾斜したテーパ形状となっている。さらに、突出部２４は、内方側面２４２及び他の側面２４３、２４４も、突出部２４の先端に近づくほど、各突出部２４が先細りとなるよう傾斜したテーパ形状となっている。
また、緩衝頭部２２は、その先端（下端）が平らな当接面２２０となっている。また、緩衝頭部２２の上方には、使用材料の量を減らす目的とデザイン的な観点から窪み部２２５を両面に設けてある。
【００２４】
次に、蓋部３は、図１、図５〜図７に示すごとく、２つの突出部２４を挿入するための係合穴３４をしている。係合穴３４の内周面３４１は、その全面が上述した突出部２４の外方側面２４１及び側面２４３、２４４（図３）に対応して傾斜したテーパ形状となっている。そして、蓋部３の係合穴３４への挿入深さが深くなるほど左右一対の突出部２４が互いに近づく方向に押圧されるよう形成されている。
【００２５】
また、本体部２は、蓋部３よりも弾性変形しやすい材料により構成されている。具体的には、本体部２は、低密度ポリエチレンを使用して形成してあり、一方、蓋部３は、上記低密度ポリエチレンよりも弾性変形しにくく剛性が高いポリプロピレンを用いて形成してある。
【００２６】
次に、上記椅子用緩衝部材１を椅子８の横梁部７５に装着する作業は、図８〜図１１に示すごとく、横梁部７５を接合した固定金具７９を座面８１の裏面８１２に固定する前に実施する。
図８に示すごとく、本体部２の開口端を横梁部７５に対面させ、凹部２０内に横梁部７５が入り込むよう両者を相対的に移動させる。これにより、まず、図９に示すごとく、Ｕ字状部２１は、先端開口部の突出部２４の内方側面２４２のテーパ形状の存在によって、スムーズに拡開され、その後、図１０に示すごとく、凹部２０の円弧状の内周面が横梁部７５の外周面に密着し、本体部２と横梁部７５が係合する。
【００２７】
次に、図１１に示すごとく、本体部２の突出部２４を係合穴３４に収容するように蓋部３を配置し、本体部２と蓋部３とを一体化させる。これにより、本例の椅子用緩衝部材１の横梁部７５への配設作業が完了する。
その後、同じ動作を繰り返して、４つの椅子用緩衝部材１を横梁部７５へ装着した後、横梁部７５の固定金具７９を座面８１の裏面８１２にビス７８により固定することにより、椅子８が完成する。
【００２８】
得られた２つの椅子８をスタッキングした状態を図１３に示す。同図に示すごとく、上方に位置する椅子８の座部８１の裏面８１２に配置された４つの椅子用緩衝部材１の存在によって、その横梁部７５が下方に位置する椅子８の座部８１の直接当接することを確実に防止することができる。これにより、座部８１の傷付きを防止することができる。また、上記椅子用緩衝部材１の存在のよって、複数の椅子８のスタッキング状態をより安定化させることができる。
【００２９】
また、上記椅子用緩衝部材１は、本体部２と蓋部３の２つの部品により構成されており、本体部２の凹部２０に横梁部７５を収容することによって、容易に横梁部７５に係合させることができる。そして、この状態において、本体部２の緩衝頭部２２を下向きに配置することができ、スタッキング時に確実に座部８１の表面８１１に当接させることができる。
【００３０】
また、蓋部３の係合穴３４に本体部の上記突出部２４を挿入することによって、本体部２と蓋部３とを一体化することができる。これにより、本体部２の横梁部７５への配設状態を安定的に維持することができる。特に、本例では、本体部２の凹部２０が、横梁部７５の外周面の半周以上の領域に密着し、かつ、蓋部３によって本体部２のＵ字状部２１が拡開することを防止することにより、本体部２と横梁部７５との係合状態を強固に維持することができる。
【００３１】
また、蓋部３と本体部２とを一体化させる作業は、Ｕ字状部２１の凹部２０に横梁部７５を収容することと、Ｕ字状部２１の先端の左右一対の突出部２４を蓋部３の係合穴３４に挿入するだけであり、非常に簡単である。そして、特に上記椅子用緩衝部材１以外の部品を用いることなく、非常に短時間で行うことができ、椅子用緩衝部材１の装着作業も合理化できるので、椅子８全体のコストダウンにもつなげることができる。
【符号の説明】
【００３２】
１  椅子用緩衝部材
２  本体部
２０  凹部
２１  U字状部
２２  緩衝頭部
２４  突出部
３  蓋部
３４  係合穴
７  脚部
７５  横梁部
８  椅子
８１  座部
【図１】
0003151844.tif 000003
【図２】
0003151844.tif 000004
【図３】
0003151844.tif 000005
【図４】
0003151844.tif 000006
【図５】
0003151844.tif 000007
【図６】
0003151844.tif 000008
【図７】
0003151844.tif 000009
【図８】
0003151844.tif 000010
【図９】
0003151844.tif 000011
【図１０】
0003151844.tif 000012
【図１１】
0003151844.tif 000013
【図１２】
0003151844.tif 000014
【図１３】
0003151844.tif 000015